(57)【特許請求の範囲】
【請求項１】
電気通信及びデータ工学における接続ストリップ用の遮蔽装置であって、複数個の遮蔽プレートとこの遮蔽プレートに配置された少なくとも１つの基部レールとを含んで成る遮蔽装置において、遮蔽プレート（２）および基部レール（３）を金属シート（２８）から一体に形成し、かつ、各遮蔽プレート（２）は、遮蔽プレート（２）の幅よりも狭い幅を有するウエブ（４）を介して基部レール（３）に連結し、かつこの幅狭のウエブ（４）の位置で各遮蔽プレート（２）を捩じって、基部レール（３）の平面に関してほぼ９０°直交する向きに配置してなることを特徴とする遮蔽装置。
【請求項２】
遮蔽プレート（2 ）間の間隔（Ｘ，Ｘ′）は特に基部レール（３）中の折り畳み部（９）によって異なるように設計することができることを特徴とする請求項１に記載の遮蔽装置。
【請求項３】
請求項１又は２に記載の電気通信及びデータ工学における接続ストリップ用の遮蔽装置を製造する方法において、複数個の遮蔽プレート（２）及びこの遮蔽プレートを支持する基部レール（３）、並びに遮蔽プレート（２）を基部レール（３）に連結する各遮蔽プレート（２）の幅よりも狭い幅を有するウエブ（４）を金属シート（２８）から一体に形成され、その後、幅狭のウエブ（４）の領域で各遮蔽プレート（２）を捩じって、基部レール（３）の平面に関してほぼ９０°直交する向きに配置することを特徴とする方法。
【請求項４】
遮蔽プレート（２）間の間隔（Ｘ，Ｘ′）は特に基部レール（３）中の折り畳み部（９）によって異なるように設計することができることを特徴とする請求項３に記載の方法。
【請求項５】
プラスチックハウジング中に配置された絶縁材刺通型の終端接点素子と、前記絶縁材刺通型の終端接点素子間に配置された遮蔽プレートと、前記遮蔽プレートに配置された少なくとも１つの接地レールとをもつ電気通信及びデータ工学用の接続ストリップにおいて、複数個の遮蔽プレート（２）および基部レール（３）を金属シート（２８）から一体に形成し、各遮蔽プレート（２）を、遮蔽プレート（２）の幅よりも幅が狭いウエブ（４）を介して基部レール（３）に連結し、この幅狭のウエブ（４）の領域で各遮蔽プレート（２）を捩じって、基部レール（３）の平面に関して９０°直交する向きに配置することを特徴とする接続ストリップ。
【請求項６】
請求項１〜４のいずれか一項記載の、前記遮蔽装置（１）を、電気通信及びデータ工学における高伝送速度用の接続ストリップ（１１）内の遮蔽物として、使用することを特徴とする遮蔽装置の使用法。
【発明の詳細な説明】
【０００１】
本発明は電気通信及びデータ工学における接続ストリップ用の遮蔽装置であって、幾つかの遮蔽プレートとこの遮蔽プレートに配置された少なくとも１つの基部レールとを含んで成る遮蔽装置に関するものである。
【０００２】
一般的型式の遮蔽装置はUS 5,160,273に開示された接続ストリップから既知である。この場合、接続ストリップの隣接する絶縁材刺通型終端接点素子間の漏話(crosstalk) の問題は、絶縁材刺通型終端接点素子の各個対間に多数の伝導性遮蔽プレートを挿入することによって解決される。漏話の問題は多量の情報を電気ラインを経て伝達するときに起こり、その情報は高周波数で伝達される。高周波数での伝達は、特にこれらのラインが接続ストリップ中で互いに接近して並置されるときに、隣接ライン間に放熱と干渉を生じる。導電性遮蔽プレートは１対の絶縁材刺通型終端接点素子間に挿入され、絶縁材刺通型終端接点素子の２つの隣接対間の間隔は１対をなす隣接する絶縁材刺通型終端接点素子間の間隔より大きい。遮蔽プレートはこの場合、絶縁材刺通型終端接点素子の対間で接続ストリップのプラスチック本体の長手方向を横切って延びるスロット中に挿入され、そしてプラスチック本体内で長手方向に位置する基部レールに接触する。これの欠点は、構成部品をプラスチック本体内に取り付けるとき、最初に、各個遮蔽プレートに接触するための接触舌片をもつ基部レールを取り付ける必要があり、そしてその後各個遮蔽プレートを接続ストリップ内に押し込むことが必要であることである。その結果、組立体は、電気通信及びデータ工学において高伝送速度用の遮蔽装置をもつ接続ストリップを提供するために、複雑性が比較的高くなる。
【０００３】
それ故、本発明は、組み立てを簡単化するために一般型式の遮蔽装置を改良することを目的とする。
【０００４】
上記目的を達成するために、本発明は金属シートから一体に形成される遮蔽プレートと基部レールを提供し、各遮蔽プレートは幅狭のウエブを介して基部レールに連結され、かつ基部レールに関してほぼ９０°回されて配置されるよう構成される。本発明の目的を達成するために、金属シートは固体金属シートか、又は金属被覆したプラスチックバンド等とすることができる。かくして本発明の遮蔽装置は一体の構成部品を形成し、これらの部品は金属材料から作られ、そして電気通信及びデータ工学用の接続ストリップの組み立て中、その基部レールが接続ストリップのプラスチックハウジング内に挿入され、基部レールに一体に連結されているその遮蔽プレートが同時に接続ストリップ内に予め形成されたすべてのスロット内へ導入される。これは組み立てをかなり簡単化する。
【０００５】
本発明の別の実施例では、基部レール上の遮蔽プレート間の間隔は互いに異なように設計してもよい。これにより遮蔽プレートは色々な用途へ適合させることが可能になる
【０００６】
本発明また、特許請求の範囲の請求項３に記載の遮蔽装置を製造する方法、請求項５に記載の遮蔽装置用の接続ストリップ、そして最後に、請求項６に記載の接続ストリップ内に遮蔽装置を使用する使用法にも関する。
【０００７】
以下、本発明を電気通信及びデータ工学用の接続ストリップに取り付けることができるか又は取り付けられる遮蔽装置の実施例につき詳述する。
【０００８】
実施例では、遮蔽装置１は７個の平らな実質上Ｕ形の遮蔽プレート２、基部レール３、及び7 個の接続ウエブ４を含み、この接続ウエブは基部レール３に個々の遮蔽プレート２を接続する。遮蔽装置１は導電性の金属材料から作られかつ、金属シート２８、特に、銅、銅合金、鋼又はアルミニウムから、特別の押し抜き加工によって、遮蔽プレート２、基部レール３及び接続ウエブ４と一体に形成される。その場合遮蔽プレート２と、接続ウエブ４をもつ基部レール３は最初は金属シート２８と同じ平面内に横たわっている。切り抜きプロセスに続く加工段階では、個々のプレート２はそれらの接続ウエブ４領域で基部レール３に関して９０°にわたって回される。基部レール３中の孔５は接続ウエブ４に近い各遮蔽プレート２と関連付けられ、この孔５は製造プロセス中、調節用に使用される。金属シート２８は金属被覆したプラスチックバンド等とすることもできる。
【０００９】
図４に示すシートを処理する方法から見ると、個々の遮蔽プレート２はＵ形設計であり、ほぼ矩形の遮蔽パネル６が接続ウエブ４に隣接しておりかつ2 個の股分かれした遮蔽フォーク部７を接続ウエブ４から遠方側の端に備える。これらの遮蔽フォーク部７は肩部８によって段付きにされ、この肩部は断面でテーパ付きになっていて、それらのフォーク部は接続ストリップ１１の内部横断面に合わされる。
【００１０】
図４は互いの間に平均間隔Ｘをもつ幅Ｂの切り抜き又は押し抜きした遮蔽プレート２と、製造中調節用に使用される孔５をもつ切り抜き又は押し抜きした基部レール３とをもつ金属シート２８を示す。金属シート２８の長さは幅Ｂの遮蔽プレートの数と切れ目間隙の合計に一致する。
【００１１】
図５は基部レール３に関して９０°回されかつ通常、お互いから距離Ｘをおいている遮蔽プレート２を示す。より短い距離Ｘ′を得るために図８に示す如く折り畳み部９が基部ウエブ３に導入される。
【００１２】
遮蔽装置１は電気通信及びデータ工学において高伝送速度用に、接続ストリップ１１内の個々の絶縁材刺通型の終端接点素子１０のために使用される。対をなして配置された複数の絶縁材刺通型の終端接点素子１０をもつかかる接続ストリップ１１はDE 43 25 952 C2 に更に詳細に図示、説明されている。接続ストリップ１１は図６〜９に示されており、以下、使用される遮蔽装置１に関して更に詳細に説明される。
【００１３】
接続ストリップ１１は上部部分１３と下部部分１４からなるプラスチックハウジング１２を含む。これらの部分は互いに上部部分１３の掛止開口１５と下部部分１４の掛止突起１６によって掛止される。終端スロット１７は上部部分１３に形成され、一体形成された終端突起１８と終端ウエブ１９をもつ。これらは絶縁材刺通型終端接点素子１０を保持するのに役立つ。後者の終端接点素子はシート状の平らな材料から形成されかつ、２つの接点ウエブ２１を含み、これらの間に接点スロット２０を包囲している。基部ウエブ２２は接点フィンガー部２３に隣接しており、これらのフィンガー部はばね接点２４に併合する。2 対の絶縁材刺通型終端接点素子１０は夫々互いに接近して並んで配置され、２対の隣接した絶縁材刺通型の終端接点素子１０間の間隔Ｄは図６から明らかな如く、互いに接近して並んでいる絶縁材刺通型終端接点素子１０間の間隔ｄよりかなり大きい。遮蔽装置１の各個遮蔽プレート２は図６、７で破線でかつ図８、９で実線で示される如く、接続ストリップ１１の全部で7 個の広い方の横断面領域２５内へ挿入される。
【００１４】
各個遮蔽プレート２をもつ基部レール３を接続ストリップ１１のハウジング１２内に挿入するために、この実施例中の上部部分１３は夫々の横断スロット２７をもつ7 個のチャンバ２６を含み、これらのスロット内に各個遮蔽プレート２が押し込められる。基部レール３は図７、９に示す如く、下部部分１４の底領域の長手方向スロット２１内に位置する。各個遮蔽プレート２の遮蔽パネル６と遮蔽フォーク部７は実質上、特に図９に示す如く、接続ストリップ１１の内部の横断面全体をふさぎ、かくして比較的大きい漏話減衰量が導電性遮蔽プレート２の結果として高伝送速度のために得られるように、絶縁材刺通型の終端接点素子１０の各個の対を分離する。接続ストリップ１１中の大面積の導電性遮蔽プレート２は接続ストリップの物理的容積を拡大することも、またそれを作るためのより大きな費用をも必要としない。
【００１５】
遮蔽装置１は接地を必要としない。重要なことは、各個遮蔽プレート２が互いに導電接続されることだけである。このことはすべての遮蔽プレート２に共通である基部レール３によって達成される。遮蔽プレート２は、絶縁材刺通型終端接点素子１０の影響チャージング(influence charging)が隣接する絶縁材刺通型終端接点素子１０内で減少し、かくして干渉電圧(interference voltage)が小さくなるような仕方で、電界に影響する。これは比較的高い信号−対−雑音比を作る。信号−対−雑音比は高くなり、その結果、絶縁材刺通型終端接点素子１０の隣接するラインがお互いに逆効果をもつことなしに、より高い周波数が伝送されることが可能になる。
【００１６】
遮蔽装置１内の遮蔽プレート２の数は絶縁材刺通型終端接点素子１０の対の数に依存する。本実施例では、8 対型モジュールが示されており、このモジュールは全部で7 個の遮蔽プレート２のための7 個のチャンバ２６をもつ。普通の対の組み合わせは  4/3, 8/7, 10/9, 12/11, 16/15, 20/19, 24/23, 及び25/24 であり、この場合、絶縁材刺通型終端接点素子１０の対の数と遮蔽プレート２の数は各場合に指示される。
【００１７】
HIGHBAND 8接続ストリップ１１では、遮蔽プレート２間の標準間隔Ｘは  Ｘ＝12.6mmである。しかし、HIGHBAND 10 接続ストリップ１１では、例えば間隔はＸ′＝  9.6 mmである。このため、折り畳み部９が各個遮蔽プレート２の各々間で基部レール３内に導入される。この間隔は金属シート２８から遮蔽装置１を直接押し抜きすることによって得ることはできない。というのは、各個遮蔽プレート２の幅Ｂは接続ストリップ１１の幅のため、ほぼ１２mmとする必要があるからである。それ故、HIGHBAND８接続ストリップ１１では、幅Ｂ＝12.6mmと間隔Ｘ＝12.6mmの寸法は互いに適切に補完する。しかしより狭い間隔Ｘ′では折り畳み部９が必要である。これらの折り畳み部は、基部レール３の長さを短縮するための何か他の種類の手段と取り換えてもよい。
【図面の簡単な説明】
【図１】  遮蔽装置の斜視図である。
【図２】  遮蔽装置の正面図である。
【図３】  遮蔽装置の平面図である。
【図４】  押し抜き遮蔽プレートと基部レールをもつ金属シートの平面図である。
【図５】  折り畳まれた基部レールをもつ遮蔽装置の一部の、図４に対応する図である。
【図６】  接続ストリップの側面図である。
【図７】  図６の線A-A 上でとった接続ストリップの横断面図である。
【図８】  図６に示した接続ストリップの平面図である。
【図９】  図８のB-B 上でとった接続ストリップの横断面図である。
【図１】
0004234329.tif 000002
【図２】
0004234329.tif 000003
【図３】
0004234329.tif 000004
【図４】
0004234329.tif 000005
【図５】
0004234329.tif 000006
【図６】
0004234329.tif 000007
【図７】
0004234329.tif 000008
【図８】
0004234329.tif 000009
【図９】
0004234329.tif 000010